(57)【要約】【課題】ホワイトバランスの調整には専用の治具が必要である。【解決手段】自発光表示装置に、有効表示領域の外側に、基本発光色別のダミー画素を配置した表示パネルと、ホワイトバランスの自動調整実行時、基本発光色別のダミー画素それぞれに発光特性検出用の階調値を与えるダミー画素データ決定部と、ホワイトバランスの自動調整実行時、ダミー画素の発光輝度を基本発光色別に検出する輝度検出センサーと、基本発光色別に検出した発光輝度に基づいて、ダミー画素の発光輝度に関するガンマ特性を基本発光色別に検出する輝度特性検出部と、検出された基本発光色別のガンマ特性が適正なホワイトバランスを満たすように、各基本発光色に対応するガンマ変換テーブルを更新するガンマ設定部と、ガンマ変換テーブルを参照して入力映像信号をガンマ変換するガンマー変換部とを搭載する。【選択図】図１
2007240799.tif 000002
【特許請求の範囲】
【請求項１】
有効表示領域の外側に、基本発光色別のダミー画素を配置した表示パネルと、
ホワイトバランスの自動調整実行時、前記基本発光色別のダミー画素それぞれに発光特性検出用の階調値を与えるダミー画素データ決定部と、
ホワイトバランスの自動調整実行時、前記ダミー画素の発光輝度を基本発光色別に検出する輝度検出センサーと、
基本発光色別に検出した発光輝度に基づいて、ダミー画素の発光輝度に関するガンマ特性を基本発光色別に検出する輝度特性検出部と、
検出されたガンマ特性が適正なホワイトバランスを満たすように、各基本発光色に対応するガンマ変換テーブルを更新するガンマ設定部と、
ガンマ変換テーブルを参照して入力映像信号をガンマ変換するガンマー変換部と
を有することを特徴とする自発光表示装置。
【請求項２】
請求項１に記載の自発光表示装置において、
前記ダミー画素データ決定部は、発光特性検出用の階調値として、基本発光色別にそれぞれ複数段階の階調値を順次与える
ことを特徴とする自発光表示装置。
【請求項３】
請求項１に記載の自発光表示装置において、
前記表示パネルに基本発光色を一組とする複数組のダミー画素が配置される場合、前記ダミー画素データ決定部は、前記複数組のダミー画素に対し発光特性検出用の複数組の階調値を一度に与える
ことを特徴とする自発光表示装置。
【請求項４】
有効表示領域の外側に、基本発光色別のダミー画素を配置した表示パネルと、
ホワイトバランスの自動調整実行時、前記基本発光色別のダミー画素それぞれに発光特性検出用の階調値を与えるダミー画素データ決定部と、
ホワイトバランスの自動調整実行時、前記ダミー画素の発光輝度を基本発光色別に検出する輝度検出センサーと、
基本発光色別に検出した発光輝度に基づいて、ダミー画素の発光輝度に関するガンマ特性を基本発光色別に検出する輝度特性検出部と、
検出されたガンマ特性が適正なホワイトバランスを満たすように、各基本発光色に対応するデータ線駆動部に与える基準電圧値を算出するドライバ基準電圧算出部と、
算出された基準電圧値又は対応する基準電圧を前記データ線駆動部に供給するドライバ電圧調整部と
を有することを特徴とする自発光表示装置。
【請求項５】
請求項４に記載の自発光表示装置において、
前記基準電圧は、データ線駆動部の最大基準電圧及び中間基準電圧である
ことを特徴とする自発光表示装置。
【請求項６】
有効表示領域の外側に、基本発光色別のダミー画素とその発光輝度を基本発光色別に検出する輝度検出センサーとを搭載する自発光表示装置において、有効表示領域内のホワイトバランスを自律的に調整するホワイトバランス調整装置であって、
ホワイトバランスの自動調整実行時、前記基本発光色別のダミー画素それぞれに発光特性検出用の階調値を与えるダミー画素データ決定部と、
基本発光色別に検出した発光輝度に基づいて、ダミー画素の発光輝度に関するガンマ特性を基本発光色別に検出する輝度特性検出部と、
検出されたガンマ特性が適正なホワイトバランスを満たすように、各基本発光色に対応するガンマ変換テーブルを更新するガンマ設定部と
を有することを特徴とするホワイトバランス調整装置。
【請求項７】
有効表示領域の外側に、基本発光色別のダミー画素とその発光輝度を基本発光色別に検出する輝度検出センサーとを搭載する自発光表示装置において、有効表示領域内のホワイトバランスを自律的に調整するホワイトバランス調整装置であって、
ホワイトバランスの自動調整実行時、前記基本発光色別のダミー画素それぞれに発光特性検出用の階調値を与えるダミー画素データ決定部と、
基本発光色別に検出した発光輝度に基づいて、ダミー画素の発光輝度に関するガンマ特性を基本発光色別に検出する輝度特性検出部と、
検出されたガンマ特性が適正なホワイトバランスを満たすように、各基本発光色に対応するデータ線駆動部に与える基準電圧値を算出するドライバ基準電圧算出部と、
算出された基準電圧値又は対応する基準電圧を前記データ線駆動部に供給するドライバ電圧調整部と
を有することを特徴とするホワイトバランス調整装置。
【請求項８】
有効表示領域の外側に、基本発光色別のダミー画素とその発光輝度を基本発光色別に検出する輝度検出センサーとを搭載する自発光表示装置のコンピュータに、有効表示領域内のホワイトバランスを自律的に調整する処理を実行させるコンピュータプログラムであって、
ホワイトバランスの自動調整実行時、前記基本発光色別のダミー画素それぞれに発光特性検出用の階調値を与える処理と、
基本発光色別に検出した発光輝度に基づいて、ダミー画素の発光輝度に関するガンマ特性を基本発光色別に検出する処理と、
検出されたガンマ特性が適正なホワイトバランスを満たすように、各基本発光色に対応するガンマ変換テーブルを更新する処理と、
ガンマ変換テーブルを参照して入力映像信号をガンマ変換する処理と
を実行させるコンピュータプログラム。
【請求項９】
有効表示領域の外側に、基本発光色別のダミー画素とその発光輝度を基本発光色別に検出する輝度検出センサーとを搭載する自発光表示装置のコンピュータに、有効表示領域内のホワイトバランスを自律的に調整する処理を実行させるコンピュータプログラムであって、
ホワイトバランスの自動調整実行時、前記基本発光色別のダミー画素それぞれに発光特性検出用の階調値を与える処理と、
基本発光色別に検出した発光輝度に基づいて、ダミー画素の発光輝度に関するガンマ特性を基本発光色別に検出する処理と、
検出されたガンマ特性が適正なホワイトバランスを満たすように、各基本発光色に対応するデータ線駆動部に与える基準電圧値を算出する処理と、
算出された基準電圧値又は対応する基準電圧を前記データ線駆動部に供給する処理
を実行させるコンピュータプログラム。
【発明の詳細な説明】
【技術分野】
【０００１】
この明細書で説明する発明は、ホワイトバランスの自動調整技術に関する。
なお、発明者らが提案する発明は、自発光表示装置、ホワイトバランス調整装置及びプログラムとしての側面を有する。
【背景技術】
【０００２】
フラットパネルディスプレイは、コンピュータディスプレイ、携帯端末、テレビなどの製品で広く普及している。現在、主に液晶ディスプレイパネルが多く採用されている。しかし、依然として、視野角の狭さや応答速度の遅さが指摘され続けている。
一方、自発光素子で形成された有機ＥＬディスプレイは、前述した視野角や応答性の課題を克服できるのに加え、バックライト不要の薄い形態、高輝度、高コントラストを達成できる。このため、液晶ディスプレイに代わる次世代表示装置として期待されている。
【０００３】
ところで、有機ＥＬ素子その他の自発光素子は、その発光量や発光時間に応じて劣化する特性があることが一般にも知られている。
一方で、ディスプレイに表示される画像の内容は一様ではない。このため、自発光素子の劣化が部分的に進行し易い。例えば時刻表示領域（固定表示領域）の自発光素子は、他の表示領域（動画表示領域）の自発光素子に比べて劣化の進行が速い。
劣化が進行した自発光素子の輝度は、他の表示領域の輝度に比して相対的に低下する。一般に、この現象は“焼き付き”と呼ばれる。以下、部分的な自発光素子の劣化を“焼き付き”と表記する。
【０００４】
また、基本発光色毎に複数種類の自発光素子を用いる場合や複数種類の基本発光色を発生できる発光素子を用いる場合、各発光色の劣化特性が一致しない場合が多く見られる。
この場合、“焼きつき”部分では、ホワイトバランスがずれて色がついたように見えたり、暗く見える現象が発生する。
このような色ずれ現象が知覚されな良好な画質を維持するには、焼き付き現象の抑制又は改善が求められる。
【特許文献１】特開２０００−３５６９８１号公報
【発明の開示】
【発明が解決しようとする課題】
【０００５】
ところが、既存の発明は、発光素子を構成する材料や信号処理の観点から発光寿命を延長することを主眼とするものが多く、色ずれ現象の発生を原理的に解決することができない。
また、製造工程の一部としてホワイトバランスを調整する処理を実行する場合があるが、特殊な駆動波形等を発生する専用の治具が必要である。
【課題を解決するための手段】
【０００６】
そこで、発明者らは、ホワイトバランスのずれを自律的に調整できる仕組みを提案する。なお、有効表示領域の外側には、基本発光色別のダミー画素とその発光輝度を基本発光色別に検出する輝度検出センサーとが配置されるものとする。
【０００７】
（Ａ）仕組み１
仕組みの一つとして、発明者らは以下に示す処理機能部の採用を提案する。
（ａ）ホワイトバランスの自動調整実行時、基本発光色別のダミー画素それぞれに発光特性検出用の階調値を与えるダミー画素データ決定処理
（ｂ）基本発光色別に検出した発光輝度に基づいて、ダミー画素の発光輝度に関するガンマ特性を基本発光色別に検出する輝度特性検出処理
（ｃ）検出されたガンマ特性が適正なホワイトバランスを満たすように、各基本発光色に対応するガンマ変換テーブルを更新するガンマ設定処理
（ｄ）ガンマ変換テーブルを参照して入力映像信号をガンマ変換するガンマー変換処理
【０００８】
（Ｂ）仕組み２
仕組みの一つとして、発明者らは以下に示す処理機能部の採用を提案する。
（ａ）ホワイトバランスの自動調整実行時、基本発光色別のダミー画素それぞれに発光特性検出用の階調値を与えるダミー画素データ決定処理
（ｂ）基本発光色別に検出した発光輝度に基づいて、ダミー画素の発光輝度に関するガンマ特性を基本発光色別に検出する輝度特性検出処理
（ｃ）検出されたガンマ特性が適正なホワイトバランスを満たすように、各基本発光色に対応するデータ線駆動部に与える基準電圧値を算出するドライバ基準電圧算出処理
（ｄ）算出された基準電圧値又は対応する基準電圧をデータ線駆動部に供給するドライバ電圧調整処理
【発明の効果】
【０００９】
発明者らの提案する発明によれば、専用の治具を用いずともホワイトバランスを適正な状態に補正することができる。この結果、ホワイトバランスの崩れを原因とする着色現象を抑制又は改善することができる。
【発明を実施するための最良の形態】
【００１０】
以下、発明に係るホワイトバランス調整機能を搭載する有機ＥＬディスプレイ装置の形態例を説明する。
なお、本明細書で特に図示又は記載されない部分には、当該技術分野の周知又は公知技術を適用する。
また以下に説明する形態例は、発明の一つの形態例であって、これらに限定されるものではない。
【００１１】
（Ａ）形態例１
（ａ）概略構成
図１に、有機ＥＬディスプレイ装置のシステム構成例を示す。有機ＥＬディスプレイ装置１は、有機ＥＬパネルモジュール３及びガンマ調整部５で構成される。
【００１２】
（ｂ）有機ＥＬパネルモジュールの構成
図２に、有機ＥＬパネルモジュール３の平面構造例を示す。有機ＥＬパネルモジュール３は、有効表示領域３１と、ダミー画素領域３３と、輝度検出センサーと、駆動回路その他の周辺回路で構成される。
【００１３】
ダミー画素領域３３は、有機ＥＬ素子のガンマ特性検出領域であり、有効表示領域３１の外側に配置する。なお、有効表示領域内の画素内に光検出センサーを配置することにより、有機ＥＬ素子のガンマ特性を検出する手法も考えられるが画素構造が複雑になる。そこで、この形態例では、有効表示領域３１とは別にダミー画素領域３３を配置する。
【００１４】
なお、有効表示領域３１は、その発光が外部から観察可能なように形成されているのに対し、ダミー画素領域３３は、その発光が外部から観察できないように不透性材料の筐体その他で覆われている。
この形態例の場合、ダミー画素領域３３には複数個のダミー画素を配置する。図２の場合、Ｐ（２以上の自然数）個のダミー画素を配置する。
因みに、ダミー画素には、有効表示領域３１内にマトリクス状に配置される表示上の１画素と同じ構造を採用する。
【００１５】
図３に、有効表示領域３１及びダミー画素領域３３の画素配置例を示す。図３の場合、１行目からＮ行目までが有効表示領域３１であり、Ｎ＋１行目がダミー画素領域３３である。従って、ダミー画素領域３３のデータは、ブランキング期間を用いて更新される。
この例の場合、表示上の１画素は、基本発光色である赤（Ｒ）、緑（Ｇ）、青（Ｂ）に対応する３つの単位発光領域で構成する。なお、この明細書では、基本発光色に対応する単位発光領域もダミー画素と呼ぶ。
【００１６】
なお、この有機ＥＬパネルモジュール３は、一般的な表示パネルに選択線（ゲート駆動線）を１本追加するだけで実現することができる。すなわち、ダミー画素の駆動には、既存の駆動回路（データ線駆動回路及び選択線駆動回路）を流用することができる。従ってダミー画素の駆動専用の回路や大規模な駆動回路は必要でない。
これらダミー画素の発光輝度は、不図示の輝度検出センサーによって検出される。
【００１７】
図４に、輝度検出センサー３５の配置例を示す。輝度検出センサー３５は、１個のダミー画素に対して１個の割合で配置される。輝度検出センサー３５は、ダミー画素の発光面と対面し、その全体を覆うように配置される。なお、ダミー画素は３種類の単位発光領域で構成される。このため、輝度検出センサー３５は、時分割に各発光色の輝度検出を実行する。
輝度検出センサー３５は、ダミー画素から出力される可視光を検出して電気信号に変換する。
【００１８】
光検出素子には任意の検出センサーを適用する。例えばアモルファスシリコン半導体で構成される可視光センサーを使用する。
なお、電流値として検出される光量情報は増幅されて電圧値に変換され、ダミー画素光検出信号としてガンマ調整部５に出力される。
【００１９】
（ｂ）ガンマ調整部の構成
ガンマ調整部５は、ダミー画素検出信号に基づいて基本発光色別のガンマ特性を検出し、ホワイトバランスが適正になるように入力表示信号（階調値）をガンマ変換する処理デバイスである。
図５に、ガンマ調整部５の内部構成例を示す。ガンマ調整部５は、ガンマ変換部５０１、ガンマ変換テーブル５０３、パネル駆動信号生成部５０５、輝度特性検出部５０７、ガンマ設定部５０９、ダミー画素データ決定部５１１、ダミー画素データ多重部５１３で構成する。
【００２０】
ガンマ変換部５０１は、ガンマ変換テーブル５０３を参照して入力表示信号をガンマ変換する処理デバイスである。ガンマ変換後の入力表示信号は、調整済み表示信号として出力される。なお、ガンマ変換は、入力表示信号（ＲＧＢデータ）の階調変換として実行される。変換後の調整済み表示信号は、有効表示領域を構成する各画素の実際の発光輝度特性を反映する。
【００２１】
ガンマ変換テーブル５０３は、基本発光色別の入出力関係をテーブルデータとして保存する記憶領域又は記憶装置である。なお、入出力関係は、全階調値に対応する数だけ格納することもできるし、幾つかの入出力関係だけを格納しても良い。例えばＲＧＢデータの入力階調値が８ビットで与えられる場合、全階調値は２５６で与えられる。従って、この全部に対応する入出力関係を格納することもできるし、一部の入出力関係だけを格納することもできる。なお、一部の入出力関係だけを格納する場合には、ガンマ変換部５０１がその他の入出力関係を補間する。
【００２２】
パネル駆動信号生成部５０５は、入力表示信号がない場合でも、表示パネル（有機ＥＬパネルモジュール３）の駆動に必要な信号（有効表示領域内の全画素に対応する信号）を生成する処理デバイスである。この処理デバイスの搭載により、ホワイトバランスの調整時に、専用の外部治具に接続する必要性を無くすことができる。
輝度特性検出部５０７は、輝度検出センサー３５を通じて基本発光色別に検出された発光輝度に基づいて、ダミー画素の発光輝度に関するガンマ特性を検出する処理デバイスである。ダミー画素の構造は、有効表示領域内の各画素と同じ構造であるので、この検出結果は有効表示領域内のガンマ特性を間接的に表している。
【００２３】
ガンマ設定部５０９は、検出されたガンマ特性に基づいてホワイトバランスの調整値（ガンマ変換データ）を算出する処理と、ホワイトバランスの調整処理動作を制御する処理とを実行する処理デバイスである。ガンマ設定部５０９は、算出された調整値をガンマ変換テーブル５０３に登録する処理を実行する。また、ガンマ設定部５０９は、ガンマ変換テーブル５０３にガンマ変換データが登録されているか否かを調査し、ガンマ変換データが登録されていない場合には、パネル駆動信号生成部５０５とダミー画素データ決定部５１１の動作開始を指示する。なお、この動作開始は、入力表示信号の有無によらず実行される。
【００２４】
ダミー画素データ決定部５１１は、ダミー画素に与えるダミー画素データ（ＲＧＢデータ）を生成する処理デバイスである。ダミー画素データは、入力階調値に応じた発光輝度が基本発光色毎に検出できるように生成される。ダミー画素データ決定部５１１は、例えば赤（Ｒ）ダミー画素用に、全ての階調値又は予め選択した一部の階調値を順番に生成する。また、ダミー画素データ決定部５１１は、緑（Ｇ）ダミー画素用に、全ての階調値又は予め選択した一部の階調値を順番に生成する。また、ダミー画素データ決定部５１１は、青（Ｂ）ダミー画素用に、全ての階調値又は予め選択した一部の階調値を順番に生成する。
【００２５】
ダミー画素データ多重部５１３は、ダミー画素データを入力表示データ又はパネル駆動信号に多重する処理デバイスである。具体的には、ダミー画素データ多重部５１３は、有効表示領域の外側であるＮ＋１ライン目に相当する位置にダミー画素データを多重する処理を実行する。
【００２６】
（ｃ）ホワイトバランスの調整動作
以下、有機ＥＬディスプレイ装置１で実行されるホワイトバランスの自動調整動作を説明する。
表示パネルの製造直後においては、ガンマ変換テーブル５０３に値が設定されていない。ガンマ設定部５０９は、この状態を認識し、パネル駆動信号生成部５０５にパネル駆動信号の生成を命じる。パネル駆動信号生成部５０５は、ガンマ設定部５０９から指示がない限り駆動信号を生成しない。
【００２７】
次に、ガンマ設定部５０９は、表示パネルのホワイトバランスを調整すべく、ダミー画素の基本発光領域（赤（Ｒ）、緑（Ｇ）、青（Ｂ））毎にガンマ特性を測定する。このとき、ダミー画素データ決定部５１１は、基本発光色それぞれについて階調値毎の発光輝度を測定できるよう、順々に階調値を変化させる。
ダミー画素データ多重部５１３は、このように生成されたダミー画素データを有効表示領域内の映像信号の外部領域に当たる第Ｎ＋１ライン目に多重する。
【００２８】
このとき、輝度特性検出部５０７では、図６に示すガンマ曲線が基本発光色毎に検出される。図６は、階調値を基本発光色毎に０％から100％まで変化させた場合の検出輝度の変化を示す。
ホワイトバランスが調整されていないこの段階では、各階調値における基本発光色の検出輝度値はあるべき輝度比ｘ：ｙ：ｚを満たしていない。
そこで、ガンマ設定部５０９は、この基本発光色間の検出輝度値があるべき輝度比ｘ：ｙ：ｚを満たすように調整値ａ、ｂ、ｃを算出する。
【００２９】
すなわち、ａＲａ：ｂＧａ：ｃＢａ＝ｘ：ｙ：ｚを満たす調整値ａ、ｂ、ｃを算出する。なお、調整値ａは赤（Ｒ）データ用、調整値ｂは緑（Ｇ）データ用、調整値ｃは青（Ｂ）データ用である。
ただし、調整後の各ＲＧＢデータａＲａ、ｂＧａ、ｃＢａは、いずれも最大階調値を超えないように計算する。望ましくは、緑（Ｇ）データについての出力階調値ｂＧａが所定の絶対輝度付近まで出力されるように設定し、これを基準値として他の２色赤（Ｒ）データａＲａと青（Ｂ）データｃＢａの調整値ａ及びｃを算出する。
【００３０】
図７に、ホワイトバランスを適正な状態に調整することを可能にするガンマ変換データの例を示す。なお、図７は、入力表示信号の階調値が８ビットで与えられる場合に、ガンマ変換後の表示信号の階調値が１０ビットで与えられるときのガンマ変換データ例である。
勿論、ガンマ変換処理は、階調値を８ビットから１０ビットに変換する場合に限らず、入出力共に表示パネルの駆動システムに最適なビット数を選択すれば良い。例えば同じビット数の異なる値に変換しても良い。
【００３１】
（ｄ）効果
以上説明したホワイトバランス調整機能の搭載により、表示パネルのホワイトバランスの調整を特殊な調整治具を用いることなく実行することができる。
また、ホワイトバランスの調整処理は、エージング工程等と並行して実行することができる。このため、処理時間を有効活用できる。
【００３２】
また、発明者らが提案するホワイトバランス調整機能の場合には、初期設定比ｘ：ｙ：ｚを与えるだけで必要な調整値を各階調値毎に算出することができる。すなわち、絶対階調値を個別に設定できなくてもホワイトバランスを調整することができる。
また、発明者らが提案するホワイトバランス調整機能の場合には、簡易な機能ブロックを幾つか搭載するだけで良く、表示パネルへの実装も容易である。
【００３３】
（Ｂ）形態例２
（ａ）概略構成
図８に、有機ＥＬディスプレイ装置の他のシステム構成例を示す。有機ＥＬディスプレイ装置１１は、有機ＥＬパネルモジュール１３、ガンマ調整部１５及びデータ線駆動部１７で構成される。
【００３４】
（ｂ）有機ＥＬパネルモジュールの構成
有機ＥＬパネルモジュール１３には形態例１と同じ構造の表示パネルを使用する。すなわち、有効表示領域３１の外側にダミー画素領域３３と輝度検出センサー３５を配置した表示パネルを使用する。
【００３５】
（ｃ）ガンマ調整部１５の構成
この形態例出使用するガンマ調整部１５は、ダミー画素検出信号に基づいて基本発光色別のガンマ特性を検出し、ホワイトバランスが適正になるようにデータ線駆動部１７の基準電圧Ｖref を自動調整する処理デバイスとして機能する。
【００３６】
図９に、ガンマ調整部１５の内部構成例を示す。ガンマ調整部１５は、パネル駆動信号生成部１５０１、輝度特性検出部１５０３、ドライバ基準電圧算出部１５０５、ダミー画素データ決定部１５０７、ダミー画素データ多重部１５０９、ドライバ電圧調整部１５１１で構成する。
パネル駆動信号生成部１５０１は、入力表示信号がない場合でも、表示パネル（有機ＥＬパネルモジュール１３）の駆動に必要な信号（有効表示領域内の全画素に対応する信号）を生成する。この処理デバイスの搭載により、ホワイトバランスの調整時に、専用の外部治具に接続する必要性を無くすことができる。
【００３７】
輝度特性検出部１５０３は、輝度検出センサー３５を通じて基本発光色別に検出された発光輝度に基づいて、ダミー画素の発光輝度に関するガンマ特性を検出する。ダミー画素の構造は、有効表示領域内の各画素と同じ構造であるので、この検出結果は有効表示領域内のガンマ特性を間接的に表している。
【００３８】
ドライバ基準電圧算出部１５０５は、検出された基本発光色別のガンマ特性が適正なホワイトバランスを満たすように、各基本発光色に対応するデータ線を駆動する駆動回路に与える基準電圧値Ｖref を算出する処理と、ホワイトバランスの調整処理動作を制御する処理とを実行する。
【００３９】
ドライバ基準電圧算出部１５０５は、算出された基準電圧値Ｖref をドライバ電圧調整部１５１１に与える処理を実行する。また、ドライバ基準電圧算出部１５０５は、ドライバ電圧調整部１５１１にホワイトバランス調整済みの基準電圧が登録されているか否かを調査し、ガンマ変換データが登録されていない場合には、パネル駆動信号生成部１５０１とダミー画素データ決定部１５０７の動作開始を指示する処理を実行する。なお、この動作開始は、入力表示信号の有無によらず実行される。
【００４０】
ダミー画素データ決定部１５０７は、ホワイトバランスの自動調整実行時、基本発光色別のダミー画素それぞれに発光特性検出用の階調値を与える処理を実行する。この場合も、ダミー画素データは、入力階調値に応じた発光輝度が基本発光色毎に検出できるように生成される。
【００４１】
ダミー画素データ決定部１５０７は、例えば赤（Ｒ）ダミー画素用に、全ての階調値又は予め選択した一部の階調値を順番に生成する。また、ダミー画素データ決定部１５０７は、緑（Ｇ）ダミー画素用に、全ての階調値又は予め選択した一部の階調値を順番に生成する。また、ダミー画素データ決定部１５０７は、青（Ｂ）ダミー画素用に、全ての階調値又は予め選択した一部の階調値を順番に生成する。
【００４２】
ダミー画素データ多重部１５０９は、ダミー画素に与えるダミー画素データ（ＲＧＢデータ）を生成する処理デバイスである。具体的には、ホワイトバランスの実行時に、ダミー画素データ多重部１５０９は、有効表示領域の外側であるＮ＋１ライン目に相当する位置にダミー画素データを多重する処理を実行する。従って、ホワイトバランスの非実行時には、ダミー画素データの多重処理は実行されない。
【００４３】
ドライバ電圧調整部１５１１は、算出された基準電圧値又は対応する基準電圧をデータ線駆動部（ドライバ）１７に供給する処理デバイスである。なお、ドライバ電圧調整部１５１１は、ホワイトバランスの調整動作が実行されるまでの間、初期設定された基準電圧値又は基準電圧を供給する。
【００４４】
（ｄ）データ線駆動部１７の構成
図１０に、データ線駆動部１７の配置例を示す。図１０は、データ線駆動部１７が、有効表示領域３１と同じ基体上に形成される場合を表している。なお、データ線駆動部１７は、有機ＥＬパネルモジュール１１の基体に対して外付けすることも可能である。
【００４５】
図１１に、データ線駆動部１７の概略構成を示す。図１１に示すデータ線駆動部１７では、１つのデータ線に１つのＤ／Ａ変換回路１７１が接続される。ここでのデータ線は、ＲＧＢデータ単位のデータ線とする。すなわち、Ｄ／Ａ変換回路１７１は、赤（Ｒ）データの変換用、緑（Ｇ）データの変換用、青（Ｂ）データの変換用のいずれかである。Ｄ／Ａ変換回路１７１がいずれの色に対応するかはディスプレイ上のドットパターンによる。図１１は、１ライン上（走査線上）に赤（Ｒ）、緑（Ｇ）、青（Ｂ）が繰り返し現れる場合の例である。
【００４６】
これら一群のＤ／Ａ変換回路１７１には、基準電圧Ｖref を与える配線パターン１７３が接続される。基準電圧Ｖref は、ガンマ調整部１５より与えられる。例えば、赤（Ｒ）データに対応する一群のＤ／Ａ変換回路１７１には、基準電圧Ｖref-R
に対応する配線パターン１７３が接続される。同様に、緑（Ｇ）データに対応する一群のＤ／Ａ変換回路１７１には、基準電圧Ｖref-G に対応する配線パターン１７３が接続される。同様に、青（Ｂ）データに対応する一群のＤ／Ａ変換回路１７１には、基準電圧Ｖref-B
に対応する配線パターン１７３が接続される。
【００４７】
この形態例は、配線パターン１７３に印加する基準電圧を個別に調整することにより、分解能を保持したままホワイトバランスを調整する。例えば、赤（Ｒ）色の輝度範囲だけを独立に調整する。この調整を基本発光色の全て又は一部について実行することにより、知覚上の色相を移動させることができ、ホワイトバランスが適切な状態になるように調整する。
【００４８】
図１２に、ラダー抵抗型のＤ／Ａ変換回路１７１の基本構成例を示す。図１２は、２Ｒ−Ｒ型と呼ばれる基本回路である。これは、分岐先の抵抗値がそれぞれ２Ｒ（２×Ｒ）で、全体の抵抗値がＲであることを表している。この構成の場合、基準電源（最大出力電圧）側の分岐点から順番に分岐の度に流れる電流が１／２となる。分岐後の電流は、各スイッチＳ１〜Ｓ４（４ビットの場合）の入力端子に流入する。なお基準電源は、前述した基準電圧Ｖref-R 、Ｖref-G 、Ｖref-B に相当する。
【００４９】
各スイッチＳ１〜Ｓ４は、各画素の階調値（ｎビット）に応じてメインスイッチ１７５によりオン／オフ制御される。各スイッチＳ１〜Ｓ４は、オンのとき流入する電流をオペアンプ１７９に与え、オフのとき流入する電流をアース線に流す。この結果、階調値に相当する電流（各スイッチからの電流和）がオペアンプの出力抵抗ｒに流入する。このとき、出力抵抗ｒの両端に現れる電圧が出力電圧となる。
図１３に、基準電圧Ｖref を可変制御した際の出力電圧の変化を示す。最大基準電圧を可変制御することにより、同じ階調値でも出力電圧が可変制御されていることが分かる。
【００５０】
（ｅ）ホワイトバランスの調整動作
以下、有機ＥＬディスプレイ装置１１で実行されるホワイトバランスの自動調整動作を説明する。
表示パネルの製造初期直後においては、ドライバ電圧調整部１１１には未だ基準電圧の初期値しか設定されていない。ドライバ基準電圧算出部１５０５はこの状態を認識し、パネル駆動信号生成部１５０１にパネル駆動信号の生成を命じる。パネル駆動信号生成部１５０１は、ドライバ基準電圧算出部１５０５から指示がない限り駆動信号を生成しない。
【００５１】
次に、ドライバ基準電圧算出部１５０５は、表示パネルのホワイトバランスを調整すべく、ダミー画素の基本発光領域（赤（Ｒ）、緑（Ｇ）、青（Ｂ））毎にガンマ特性を測定する。このとき、ダミー画素データ決定部１５０７は、基本発光色それぞれについて階調値毎の発光輝度を測定できるよう、順々に階調値を変化させる。
ダミー画素データ多重部１５０９は、このように生成されたダミー画素データを有効表示領域内の映像信号の外部領域に当たる第Ｎ＋１ライン目に多重する。
【００５２】
このとき、輝度特性検出部１５０３では、先の形態例１と同様、図６に示すガンマ曲線が基本発光色毎に検出される。図６は、階調値を基本発光色毎に０％から100％まで変化させた場合の検出輝度の関係を示す。
ホワイトバランスが調整されていないこの段階では、各階調値における基本発光色の検出輝度値はあるべき輝度比ｘ：ｙ：ｚを満たしていない。
そこで、ドライバ基準電圧算出部１５０５は、この基本発光色間の検出輝度値があるべき輝度比ｘ：ｙ：ｚを満たすように調整値ａ、ｂ、ｃ（対応する基準電圧値Ｖref ）を算出する。
【００５３】
すなわち、ａＲａ：ｂＧａ：ｃＢａ＝ｘ：ｙ：ｚを満たす基準電圧値Ｖref-R 、Ｖref-G 、Ｖref-Bを算出する。なお、基準電圧値Ｖref-Rは赤（Ｒ）データ用、基準電圧値Ｖref-Gは緑（Ｇ）データ用、基準電圧値Ｖref-B
は青（Ｂ）データ用である。
この場合も、調整後の各基準電圧値Ｖref-R 、Ｖref-G 、Ｖref-B は、いずれもシステム上の最大電圧値を超えないように計算される。
【００５４】
この基準電圧がデータ線駆動部１７のＤ／Ａ変換回路１７１に与えられ、ホワイトバランスの調整動作が完了する。
図１４に、ホワイトバランスの調整イメージを示す。図１４は、各基本発光色に対応する最大基準電圧が適切に設定された状態を示す。
この結果、入力表示信号が無調整のまま有機ＥＬパネルモジュール１３に入力された場合でも、各基本発光色に対応する実際の発光輝度は、ホワイトバランスが調整された状態で発光する。
【００５５】
（ｄ）効果
以上説明したホワイトバランス調整機能の搭載により、ガンマ曲線をディジタル信号処理できない場合でも、表示パネルのホワイトバランスを調整することができる。勿論、特殊な調整治具は必要としない。
また、ホワイトバランスの調整処理は、エージング工程等と並行して実行することができる。すなわち、処理時間を有効活用できる。
【００５６】
この場合も、ホワイトバランスを規定する初期設定比ｘ：ｙ：ｚを与えるだけで必要な調整値を各階調値毎に算出することができる。すなわち、絶対的な基準電圧値を個別に設定できなくてもホワイトバランスを調整することができる。
また、発明者らが提案するホワイトバランス調整機能の場合には、簡易な機能ブロックを幾つか搭載するだけで良く、表示パネルへの実装も容易である。
【００５７】
（Ｃ）他の形態例
（ａ）前述の形態例２の場合、基本発光色毎にＤ／Ａ変換回路１７１の最大基準電圧を設定する場合について説明した。
しかし、Ｄ／Ａ変換回路１７１が階調値（ディジタル値）をアナログ電圧に変換する際に使用する中間電圧値も含めて設定する手法を採用しても良い。この場合、より広い階調範囲についてホワイトバランスを良好な状態に設定できる。
【００５８】
図１５に、ラダー抵抗型のＤ／Ａ変換回路１７１への適用例を示す。図１５は、図１２との対応部分に同一符号を付した図である。図１５と図１２の違いは、ラダー抵抗回路の４つの中間点に、４つの基準電圧値Ｖref1〜Ｖref4が印加される点である。図１６に、ホワイトバランスの調整イメージを示す。図１６に示すように、各基本発光色に対応する中間階調値についても対応する基準電圧値が適切に設定される。
この結果、形態例２よりも広い階調範囲についてホワイトバランスを良好な状態に調整することができる。
【００５９】
（ｂ）前述の形態例では、ホワイトバランスの調整処理を表示パネルの製造直後に実行する場合について説明した。
しかし、使用中にも同じ仕組みを使用してホワイトバランスの調整処理を実行することができる。ただし、この場合には、ダミー画素がホワイトバランスの調整実行時における有効表示領域の発光特性を実用上反映している必要がある。従って、ホワイトバランスの調整時以外は、各ダミー画素を有効表示領域の全体的な劣化傾向を与える階調値、例えば画面全体の平均階調値で発光制御する仕組みを採用すれば良い。
【００６０】
（ｃ）前述の形態例では、ダミー画素を複数個配置する場合について説明した。
しかし、ダミー画素は１個だけ配置することにし、当該ダミー画素に複数の階調値を時分割に与えて発光制御しても良い。
（ｄ）前述の形態例では、基本発光色別のガンマ特性を検出するために複数の階調値でダミー画素を発光制御する場合について説明した。
しかし、特定の階調値についてホワイトバランスを調整できれば、他の階調値についてはほぼホワイトバランスのずれを許容範囲内に収めることができる場合には、特定の階調値のみをダミー画素に与えて発光制御すれば良い。特定の階調値は１つでも複数でも良い。
【００６１】
（ｅ）前述の形態例では、ダミー画素構造が有効表示領域内の各画素と同じ場合について説明した。
しかし、ダミー画素の構造は、必ずしも同一である必要はない。例えば、ダミー画素については、画素回路内に有機ＥＬ素子の発光輝度を検出する輝度検出センサーを内蔵する構造としても良い。また、ダミー画素の画素サイズや基本発光領域の大きさを変更しても良い。
【００６２】
（ｆ）前述の形態例では、基本発光色がＲＧＢの３色である場合について説明したが、基本発光色は補色を含めて４色以上の場合にも適用できる。この場合、ダミー画素は、これら基本発光色の数だけ用意すれば良い。
（ｇ）前述の形態例では、基本発光色の発色形態について説明しなかったが、基本発光色別に発光素子材料が異なる有機ＥＬ素子を用意しても良いし、カラーフィルタ方式や色変換方式を用いて基本発光色を生成しても良い。
【００６３】
（ｈ）前述の形態例では、自発光表示装置の一例として有機ＥＬディスプレイパネルを例示したが、他の自発光表示装置にも適用できる。例えば、ＦＥＤ（field emission display） 、無機ＥＬディスプレイパネル、ＬＥＤパネルその他にも適用できる。
【００６４】
（ｇ）前述の形態例では、ホワイトバランスの自動調整機能を機能的な側面から説明したが、言うまでもなく、同等の機能をハードウェアとしてもソフトウェアとしても実現できる。
また、これらの処理機能の全てをハードウェア又はソフトウェアで実現するだけでなく、その一部はハードウェア又はソフトウェアを用いて実現しても良い。すなわち、ハードウェアとソフトウェアの組み合わせ構成としても良い。
（ｈ）前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【００６５】
【図１】有機ＥＬディスプレイ装置の概略構成例を示す図である。
【図２】有機ＥＬパネルモジュールの平面構成例を示す図である。
【図３】有機ＥＬパネルモジュールの画素配置例を示す図である。
【図４】ダミー画素と輝度検出センサーの配置例を示す図である。
【図５】ガンマ調整部の内部構成例を示す図である。
【図６】基本発光色別の検出輝度値の関係を説明する図である。
【図７】ガンマ階調値と算出された劣化率との関係を示す図である。
【図８】有機ＥＬディスプレイ装置の概略構成例を示す図である。
【図９】ガンマ調整部の内部構成例を示す図である。
【図１０】有機ＥＬパネルモジュールの平面構成例を示す図である。
【図１１】データ線駆動部の概略構成例を示す図である。
【図１２】Ｄ／Ａ変換回路の内部構成例を示す図である。
【図１３】Ｄ／Ａ変換回路の基準電圧を可変制御する場合の階調値と出力電圧との関係を説明する図である。
【図１４】基準電圧を用いたホワイトバランスの調整イメージを示す図である。
【図１５】Ｄ／Ａ変換回路の内部構成例を示す図である。
【図１６】基準電圧を用いたホワイトバランスの調整イメージを示す図である。
【符号の説明】
【００６６】
１              有機ＥＬディスプレイ装置
５              ガンマ調整部
１１            有機ＥＬディスプレイ装置
１５            ガンマ調整部
１７            データ線駆動部
５０７          輝度特性検出部
５０９          ガンマ設定部
１５０３        輝度特性検出部
１５０５        ドライバ基準電圧算出部
１５１１        ドライバ電圧調整部
【図１】
2007240799.tif 000003
【図２】
2007240799.tif 000004
【図３】
2007240799.tif 000005
【図４】
2007240799.tif 000006
【図５】
2007240799.tif 000007
【図６】
2007240799.tif 000008
【図７】
2007240799.tif 000009
【図８】
2007240799.tif 000010
【図９】
2007240799.tif 000011
【図１０】
2007240799.tif 000012
【図１１】
2007240799.tif 000013
【図１２】
2007240799.tif 000014
【図１３】
2007240799.tif 000015
【図１４】
2007240799.tif 000016
【図１５】
2007240799.tif 000017
【図１６】
2007240799.tif 000018